(57)【要約】【目的】自動車のバッテリー電圧を診断してメンテナンス時期を確実にドライバーに報知する機能を備える車載用オーディオシステムを提供する。【構成】自動車バッテリー診断機能付き車載用オーディオシステム３０は、検出回路１２にマイコン２からの制御信号ＳＷによって検出動作をオン／オフさせるスイッチＳＷ１、ＳＷ２が配され、車載用オーディオシステム３０の電源スイッチＳＷ３が入って起動すると、前記マイコン２の制御信号ＳＷが所定時間立ち上がって検出回路１２のスイッチＳＷ１、ＳＷ２がオンして検出動作が行われ、該検出回路１２の出力電圧ＶＯＵＴが所定値（マイコン２内のＡＤＣの閾値）以下の場合に、表示装置４の画面にバッテリー１５に対する警告の文字又は図画を数秒間表示又は予めメモリ装置３に記録された警告の音声データを再生してスピーカ１０から発するように制御する構成。【選択図】    図１
2004351998.tif 000002
【特許請求の範囲】
【請求項１】
システム内のマイクロコンピュータによって制御される車載用オーディオシステムであって、前記車載用オーディオシステムの電源となる自動車のバッテリーの電源ラインの電圧変化に応じて出力電圧が変化する検出手段を備え、前記マイクロコンピュータが、前記検出手段の出力電圧が所定値以下の場合に、予めメモリ装置に記録されたバッテリーに対する警告の文字又は図画のデータを読み出して表示装置の画面に表示するようにオーディオシステムを制御することを特徴とする自動車バッテリー診断機能付き車載用オーディオシステム。
【請求項２】
システム内のマイクロコンピュータによって制御される車載用オーディオシステムであって、前記車載用オーディオシステムの電源となる自動車のバッテリーの電源ラインの電圧変化に応じて出力電圧が変化する検出手段を備え、前記マイクロコンピュータが、前記検出手段の出力電圧が所定値以下の場合に、予めメモリ装置に記録されたバッテリーに対する警告の音声データを再生してスピーカから発するようにオーディオシステムを制御することを特徴とする自動車バッテリー診断機能付き車載用オーディオシステム。
【請求項３】
検出手段にマイクロコンピュータからの制御信号によって検出動作をオン・オフさせるスイッチ回路が配され、車載用オーディオシステムの電源スイッチがオンして起動すると、前記マイクロコンピュータの制御信号で前記検出手段のスイッチ回路が所定時間オンして検出動作が行われ、前記検出手段の出力電圧が所定値以下の場合に、表示装置の画面にバッテリーに対する警告の文字又は図画を所定時間表示するように制御することを特徴とする請求項１に記載の自動車バッテリー診断機能付き車載用オーディオシステム。
【請求項４】
検出手段にマイクロコンピュータからの制御信号によって検出動作をオン・オフさせるスイッチ回路が配され、車載用オーディオシステムの電源スイッチがオンして起動すると、前記マイクロコンピュータの制御信号で前記検出手段のスイッチ回路が所定時間オンして検出動作が行われ、前記検出手段の出力電圧が所定値以下の場合に、警告の音声データを再生してスピーカから発するように制御することを特徴とする請求項２に記載の自動車バッテリー診断機能付き車載用オーディオシステム。
【請求項５】
外部キー入力装置の特定のキー操作によって検出手段の検出動作をオン・オフさせるスイッチ回路が配され、車載用オーディオシステムの電源スイッチがオンして起動した状態で前記特定のキー操作が行われると、マイクロコンピュータの制御信号で前記検出手段のスイッチ回路が所定時間オンして検出動作が行われ、前記検出手段の出力電圧が所定値以下の場合に、表示装置の画面にバッテリーに対する警告の文字又は図画を所定時間表示するように制御することを特徴とする請求項１に記載の自動車バッテリー診断機能付き車載用オーディオシステム。
【請求項６】
外部キー入力装置の特定のキー操作によって検出手段の検出動作をオン・オフさせるスイッチ回路が配され、車載用オーディオシステムの電源スイッチがオンして起動した状態で前記特定のキー操作が行われると、マイクロコンピュータの制御信号で前記検出手段のスイッチ回路が所定時間オンして検出動作が行われ、前記検出手段の出力電圧が所定値以下の場合に、警告の音声データを再生してスピーカから発するように制御することを特徴とする請求項２に記載の自動車バッテリー診断機能付き車載用オーディオシステム。
【発明の詳細な説明】
【０００１】
【発明の属する技術分野】
本発明は、車載用オーディオシステムの分野及び自動車エレクトロニクス分野に属する。
【０００２】
【従来の技術】
一般に、車載用オーディオシステム（カーオーディオとも称する。）には、表示装置が備えられていて、液晶、発光ダイオード（ＬＥＤ）その他の表示エレメントで構成される画面上にキー操作内容やラジオの受信周波数、音楽記録ディスクの楽曲番号、プレイ時間、音量、時刻その他の情報を文字や図画で表示している。
【０００３】
また、車載用オーディオシステム（ＦＭ／ＡＭラジオチューナ、ＣＤプレーヤ、ＭＤプレーヤ、アンプ、イコライザー、スピーカ等で構成されている。）は、マイクロコンピュータによって集中制御され、車のバッテリー（一般に１２Ｖ）の電源ライン（＋Ｂライン又はＡＣＣライン）を電源供給源とする。
【０００４】
一方、車のバッテリーは寿命が延びているものの、放電や電解液の不足により出力電圧が徐々に下がってしまうことは否めない。
【０００５】
自動車にはバッテリーの出力電圧を大まかに表示するメーターが一般に備わっているが、逐次これを見てチェックしているドライバーは皆無といってよく、突然のバッテリー上がりでエンジンが掛からないといったトラブルに見舞われた経験のあるドライバーは多い。
【０００６】
車のバッテリーの状態（出力電圧が正常か否か）を検出しドライバーに知らせるための装置として、例えば下記特許文献１には、車内に別途取り付けられ、スイッチ手段、電圧検出手段、インジケータを備えるバッテリー状態検出装置が記載されている。
【０００７】
【特許文献１】特開平５−２２６００６号公報
【発明が解決しようとする課題】
上記［特許文献１］のバッテリー状態検出装置は、新たに車内のドライバーから見やすい所に取り付けてバッテリーと接続するという配線の必要があるので、ドライバーにとっては煩わしく、インテリアの景観を損ねることにもなる。
【０００８】
また、コストは多少とも要するので、滅多に生じないバッテリー上がりの状態を検知するためだけに新たな費用を投じるドライバーは少ないと思われる。
【０００９】
さらに、上記バッテリー状態検出装置は数個のインジケータエレメント（ＬＥＤ）による表示なので、ドライバーが注視して見ない場合や、ＬＥＤ発光色の変化（警告）に気が付かない恐れもある。
【００１０】
本発明は、上記従来の問題点に鑑みてなされたものであり、殆どコストが掛からず、既存の車載用オーディオシステムが有する制御用のマイクロコンピュータ、表示装置、スピーカ等を利用して、車のバッテリー上がりの状態（出力電圧の低下）を検知してドライバーに確実に知らせるように構成された自動車バッテリー診断機能付き車載用オーディオシステムを提供するものである。
【００１１】
【課題を解決するための手段】
本発明は、上記課題を解決するために、
（１）システム内のマイクロコンピュータによって制御される車載用オーディオシステムであって、前記車載用オーディオシステムの電源となる自動車のバッテリーの電源ラインの電圧変化に応じて出力電圧が変化する検出手段を備え、前記マイクロコンピュータが、前記検出手段の出力電圧が所定値以下の場合に、予めメモリ装置に記録されたバッテリーに対する警告の文字又は図画のデータを読み出して表示装置の画面に表示するようにオーディオシステムを制御することを特徴とする自動車バッテリー診断機能付き車載用オーディオシステムを提供する。
（２）システム内のマイクロコンピュータによって制御される車載用オーディオシステムであって、前記車載用オーディオシステムの電源となる自動車のバッテリーの電源ラインの電圧変化に応じて出力電圧が変化する検出手段を備え、前記マイクロコンピュータが、前記検出手段の出力電圧が所定値以下の場合に、予めメモリ装置に記録されたバッテリーに対する警告の音声データを再生してスピーカから発するようにオーディオシステムを制御することを特徴とする自動車バッテリー診断機能付き車載用オーディオシステムを提供する。
（３）検出手段にマイクロコンピュータからの制御信号によって検出動作をオン・オフさせるスイッチ回路が配され、車載用オーディオシステムの電源スイッチがオンして起動すると、前記マイクロコンピュータの制御信号で前記検出手段のスイッチ回路が所定時間オンして検出動作が行われ、前記検出手段の出力電圧が所定値以下の場合に、表示装置の画面にバッテリーに対する警告の文字又は図画を所定時間表示するように制御することを特徴とする上記（１）に記載の自動車バッテリー診断機能付き車載用オーディオシステムを提供する。
（４）検出手段にマイクロコンピュータからの制御信号によって検出動作をオン・オフさせるスイッチ回路が配され、車載用オーディオシステムの電源スイッチがオンして起動すると、前記マイクロコンピュータの制御信号で前記検出手段のスイッチ回路が所定時間オンして検出動作が行われ、前記検出手段の出力電圧が所定値以下の場合に、警告の音声データを再生してスピーカから発するように制御することを特徴とする上記（２）に記載の自動車バッテリー診断機能付き車載用オーディオシステムを提供する。
（５）外部キー入力装置の特定のキー操作によって検出手段の検出動作をオン・オフさせるスイッチ回路が配され、車載用オーディオシステムの電源スイッチがオンして起動した状態で前記特定のキー操作が行われると、マイクロコンピュータの制御信号で前記検出手段のスイッチ回路が所定時間オンして検出動作が行われ、前記検出手段の出力電圧が所定値以下の場合に、表示装置の画面にバッテリーに対する警告の文字又は図画を所定時間表示するように制御することを特徴とする上記（１）に記載の自動車バッテリー診断機能付き車載用オーディオシステムを提供する。
（６）外部キー入力装置の特定のキー操作によって検出手段の検出動作をオン・オフさせるスイッチ回路が配され、車載用オーディオシステムの電源スイッチがオンして起動した状態で前記特定のキー操作が行われると、マイクロコンピュータの制御信号で前記検出手段のスイッチ回路が所定時間オンして検出動作が行われ、前記検出手段の出力電圧が所定値以下の場合に、警告の音声データを再生してスピーカから発するように制御することを特徴とする上記（２）に記載の自動車バッテリー診断機能付き車載用オーディオシステムを提供する。
【００１２】
【発明の実施の形態】
本発明に係る自動車バッテリー診断機能付き車載用オーディオシステムの実施の形態について図面に基づき説明する。なお、車載用オーディオシステムの構成は従来のものと全く同様なので説明を省略し、専らこれに付加された自動車バッテリー診断機能について説明する。
【００１３】
本発明を直裁に言えば、公知技術である種々の車載用オーディオシステムについて、システムの電源供給源であるバッテリーの電源ライン（＋Ｂライン又はＡＣＣライン）の電圧を検出する検出手段を付加し、システムを制御しているマイクロコンピュータのプログラムのアドインによって、システムに備わっている表示装置、スピーカ、及びメモリ装置をそのまま利用して、バッテリーの電源ラインの電圧を診断して所謂バッテリー上がりの状態に近くなっている場合に、文字や図画による目視、或いは音声等でドライバーに確実に知らせるという新たな機能を備えた創意工夫が存する車載用オーディオシステムである。
【００１４】
図１に示される本発明に係る自動車バッテリー診断機能付き車載用オーディオシステム２０は、従来と同様の電源回路１、ＭＤプレーヤ６、ＣＤプレーヤ７、ＦＭチューナ８、オーディオアンプ９、表示装置４、キー入力装置５等を備え、システム内のマイクロコンピュータ２によって制御される車載用オーディオシステムであり、前記車載用オーディオシステムの電源となる自動車のバッテリー１５の電源ライン１６（＋Ｂ端子又はＡＣＣライン）の電圧変化に応じて出力電圧ＶＯＵＴが変化する検出手段としての検出回路１１を備え、前記マイクロコンピュータ２が、前記検出手段としての検出回路１１の出力電圧ＶＯＵＴをマイクロコンピュータ２内のアナログ・デジタル・コンバータＡＤＣの入力端子に入力するとともに前記検出手段の検出回路１１の出力電圧ＶＯＵＴが所定値以下の場合に、前記アナログ・デジタル・コンバータＡＤＣの出力変化によって予めメモリ装置３に記録されたバッテリー１５に対する警告の「バッテリー電圧が下がっています。」「バッテリー上がり注意」といった文字データ又はバッテリーを模したマーク等の警告の図画データを読み出して表示装置４の画面に表示するようにオーディオシステムを制御することを特徴とする。
【００１５】
前記マイクロコンピュータ２による上記のようなバッテリー診断の制御は、前記ＡＤＣ出力によってバッテリー診断表示モードとなってＲＯＭ等のメモリ装置３に予め記録した文字、図画、音声データを読み出して表示装置４のドライバー或いはオーディオアンプ９に伝送するように追加のプログラムをアドインすることで容易に実現できる。
【００１６】
図１の破線枠で囲まれた検出手段としての検出回路１１は、システムの電源スイッチＳＷ３のオンでシステムに通電される電源ライン１６とＧＮＤ間に直列接続された抵抗Ｒ１、ツェナーダイオードＺＤ１（ノイズ除去の並列コンデンサＣが付属する。）、抵抗Ｒ２、及びマイクロコンピュータ２のＡＤＣ入力端子とツェナーダイオードＺＤ１のアノードとの間に接続された抵抗Ｒ３で構成されている。そして、ツェナーダイオードＺＤ１のツェナー電圧は７〜８Ｖ程度として、電源ライン１６の電圧が１０Ｖ程度のバッテリー上がりに近い状態に下がった場合に、検出電圧ＶＯＵＴがマイクロコンピュータ２内のＡＤＣの出力が転じる閾値を超えるように設定する（１．５Ｖ〜３Ｖ程度）。図中のツェナーダイオードＺＤ２は保護用である。
【００１７】
なお、図１の自動車バッテリー診断機能付き車載用オーディオシステム２０では、システムの電源スイッチＳＷ３がオンの時に、検出回路１１には電流が流れ続けている構成であるが、抵抗Ｒ１、Ｒ２、Ｒ３の抵抗値の調整で数百μＡが流れるに過ぎないように設定できるのでその消費電力は殆ど問題にならない。
【００１８】
次に、上記表示装置４による表示の代わりに又はこれと共に、前記マイクロコンピュータ２が、前記検出手段としての検出回路１１の出力ＶＯＵＴをＡＤＣ入力端子に入力するとともにその出力電圧ＶＯＵＴが所定値以下の場合に、予めメモリ装置３に記録されたバッテリー１５に対する「バッテリー電圧が下がっています。」といった警告の音声データをオーディオシステム内で読み出して再生し、オーディオアンプ９で増幅してスピーカ１０から発するように制御することもできる。
【００１９】
何れも既存のオーディオシステムの装置がそのまま利用できるので、システム内に付加される検出回路１１以外にコストは殆ど掛からない。
【００２０】
なお、上記表示装置４による警告表示或いはスピーカ１０による警告音声の出力はオーディオシステム２０の電源が入って起動した始めに、マイクロコンピュータ２が検出回路１１からの検出電圧ＶＯＵＴによるＡＤＣ出力を調べることでバッテリー１５の出力電圧が下がっていた場合（マイクロコンピュータ２内のＡＤＣ出力が通常状態から反転した場合）のみ表示装置４或いはスピーカ１０にて所定時間（数秒間）警告を発するようにするのが好ましい。これは、マイクロコンピュータ２に内蔵のタイマーを作動させることで容易に実現できる。
【００２１】
次に、上記図１の車載用オーディオシステム２０の検出手段の検出回路１１は、システム２０が起動している限り検出電圧ＶＯＵＴが出力されていて、多少とも電流が流れて電力を消費しているが、検出はオーディオシステムの電源スイッチＳＷ３が入った時点のみ行うことで必要十分といえる。
【００２２】
そこで、図２に示される自動車バッテリー診断機能付き車載用オーディオシステム３０のように、検出手段の検出回路１２にマイクロコンピュータ２からの制御信号ＳＷによって検出動作をオン／オフさせるスイッチＳＷ１、ＳＷ２のスイッチ回路１４が配され、車載用オーディオシステム３０の電源スイッチＳＷ３が入って起動すると、前記マイクロコンピュータ２の制御信号ＳＷが所定時間（１秒程度）立ち上がって前記検出回路１２のスイッチ回路１４のスイッチＳＷ１、ＳＷ２が所定時間オンして検出動作が行われ、該検出回路１２の出力電圧ＶＯＵＴが所定値（＝前記ＡＤＣの閾値）以下の場合に、表示装置４の画面にバッテリー１５に対する警告の文字又は図画を数秒間表示するか又は予めメモリ装置３に記録されたバッテリー１５に対する警告の音声データを読み出し再生して車載用オーディオシステム３０のスピーカ１０から１〜２回発するように制御するように構成してもよい。この場合も、マイクロコンピュータ２内蔵のタイマーを利用して時間制御する。
【００２３】
また、図２に示される自動車バッテリー診断機能付き車載用オーディオシステム３０において、システムの起動開始時とは関係なく、外部キー入力装置５の特定のキー操作によって検出手段としての検出回路１２の検出動作をスイッチＳＷ１、ＳＷ２でオン・オフさせるスイッチ回路１４が配され、車載用オーディオシステム３０の電源スイッチＳＷ３がオンして起動した状態で、前記特定のキー操作が行われると、マイクロコンピュータ２の制御信号ＳＷで前記検出手段としての検出回路１２のスイッチ回路１４が所定時間オンして検出動作が行われ、前記検出回路１２の出力電圧ＶＯＵＴが所定値（＝前記ＡＤＣの閾値）以下の場合に、表示装置４の画面にバッテリーに対する警告の文字又は図画を所定時間表示するか又は警告の音声データを再生してスピーカ１０から発するように制御する構成でもよい。
【００２４】
上記外部キー入力装置５の特定のキー操作には、専用のバッテリー診断キーやシステムエラーをチェックするキー等が想定される。
【００２５】
【発明の効果】
本発明に係る自動車バッテリー診断機能付き車載用オーディオシステムは、上記のような構成によって、車載用オーディオシステムの起動時に、システムの電源供給源である自動車のバッテリーの出力電圧が検出されてバッテリー上がりの状態に近づいた電圧低下の状態がシステムの表示装置の画面或いはシステムのスピーカから警告の音声が発せられるので、事前にドライバーにバッテリーのメンテナンス時期を確実に報知することができる。
【００２６】
【図面の簡単な説明】
【図１】本発明に係る第１の自動車バッテリー診断機能付き車載用オーディオシステムのブロック回路図である。
【図２】本発明に係る第２の自動車バッテリー診断機能付き車載用オーディオシステムのブロック回路図である。
【符号の説明】
１        電源回路
２        マイクロコンピュータ
３        メモリ装置
４        表示装置
５        外部キー入力装置
６        ＭＤプレーヤ
７        ＣＤプレーヤ
８        ＦＭチューナ
９        オーディオアンプ
１０        スピーカ
１１、１２        検出回路
１４        スイッチ回路
１５        バッテリー
１６        電源ライン
２０、３０        自動車バッテリー診断機能付き車載用オーディオシステム
ＡＤＣ        アナログ・デジタル・コンバータ
Ｒ１〜Ｒ３        抵抗
Ｃ        コンデンサ
ＺＤ１、ＺＤ２    ツェナーダイオード
ＶＯＵＴ      検出回路の出力電圧
ＳＷ        制御信号
ＳＷ３      電源スイッチ
ＳＷ１、ＳＷ２    検出回路のスイッチ
【図１】
2004351998.tif 000003
【図２】
2004351998.tif 000004